(57)【要約】【課題】  緩みを防止するための螺子の操作箇所が棹の外側面から露出しないようにすると共に、現在使用している糸巻きをそのまま利用できるようにして、三味線の美感を損なうことなく、且つ低コストで糸巻きの緩みを防止できるようにする。【解決手段】  本考案は、三味線２の棹２ａのテーパー状の差込穴３に糸巻き４を固定するのに使用する糸巻き４の緩み止め用具１である。この用具１を、糸巻き４の先端から糸巻き４の軸方向に沿って埋め込む棒状のナット１ａと、この棒状のナット１ａに糸巻き４の先端側から捩じ込むネジ１ｂと、このネジ１ｂの軸１ｂ１に嵌め挿す鍔付き部材１ｃと、この鍔付き部材１ｃがネジ１ｂの先端側に移動するのを防止するためネジ１ｂに螺合させるナット状部材１ｄとで形成する。鍔付き部材１ｃの鍔８を、上記の差込穴３の内周面に係止する大きさに形成する。【選択図】  図１
0003181082.tif 000002
【実用新案登録請求の範囲】
【請求項１】
三味線の棹のテーパー状の差込穴に糸巻きを固定するのに使用する三味線の糸巻きの緩み止め用具であって、糸巻きの先端から糸巻きの軸方向に沿って埋め込まれる棒状のナットと、この棒状のナットに糸巻きの先端側から捩じ込まれるネジと、このネジの軸に嵌め挿される鍔付き部材と、この鍔付き部材がネジの先端側に移動するのを防止するためネジに螺合されるナット状部材とで形成され、上記の鍔付き部材の鍔が、上記の差込穴の内周面に係止される大きさに形成されていることを特徴とする三味線の糸巻きの緩み止め用具。
【請求項２】
請求項1記載の三味線の糸巻きの緩み止め用具であって、鍔付き部材が、ネジの頭と接触する側面部に、ネジの頭との摩擦を軽減するための転動体を軸心周りに環状に複数備えて形成されていることを特徴とする三味線の糸巻きの緩み止め用具。
【請求項３】
請求項1記載の三味線の糸巻きの緩み止め用具であって、ネジの頭と接触する鍔付き部材の側面部が、硬質状に形成されていることを特徴とする三味線の糸巻きの緩み止め用具。
【請求項４】
請求項１乃至３の何れかに記載の三味線の糸巻きの緩み止め用具を備えてなる三味線であって、糸巻きの先端から棒状のナットが飛び出された状態で埋め込まれ、この棒状のナットの露出端に、割れ目がナットの先端から軸方向に延ばされて且つ１８０度隔てられて両側に形成され、この割れ目を介してナットの露出端がかしめられていることを特徴とする三味線。
【考案の詳細な説明】
【技術分野】
【０００１】
本考案は、三味線の糸巻きの緩みを防止できるよう形成した三味線の糸巻きの緩み止め用具に関し、更に詳しくは三味線の糸巻きの緩み止め用具及びこれを用いた三味線に関するものである。
【背景技術】
【０００２】
従来、三味線の糸巻きは、棹の穴に差し込まれただけで止まっているのが通例である。そのため従来の三味線は、使用するのに連れ、糸巻きが摩耗して穴の内面と糸巻きとの間に隙間が生じ、糸巻きの止まりが悪くなって演奏中、糸巻きが滑って糸が緩んでしまう、という問題があった。
【０００３】
而して、この種の問題を解消する従来品としては、例えば特許文献１に記載されている発明がある。
この特許文献１に記載の糸巻棒は、先端側の付近に堰部が鍔状に形成され、先端に合成樹脂材がはめ込まれて接着されている。合成樹脂材は、その先端側にネジ穴や縦割り部が形成され、ネジ穴の奥側の段差部にナットが圧入されている。
【０００４】
そして、この従来品は、ツマミ付きの空転調整ボルトを合成樹脂材の先端から捩じ込んで糸巻棒を棹の穴に引き寄せ、鍔状の堰部等と、穴のテーパー面との摩擦抵抗を高めて糸巻棒の緩みを防止するものである。
【０００５】
而して、この従来品は、ボルトのツマミを手指で回して操作することができるよう、ツマミが棹の穴の外側に配置され、露出していた。従って、この従来品の場合は、ツマミが目障りになり、三味線の美感を損なう、という問題点があった。
【０００６】
また従来品は、上記の通り、糸巻棒の先端側に鍔状の堰部を形成したり、ナットを組み込むための合成樹脂材を連結する必要があった。
従って、この従来品によると、加工コストや部品コストがかかり、その結果、糸巻棒の値段が高くなるのを避けられない、という問題点があった。
【０００７】
また、従来品は、現在使っている糸巻きに換えて利用するものである。
従って、従来品によると、現在使っている糸巻きをそのまま利用することができず、その分、ユーザーに経済的な負担を強いることになる、という問題点があった。
【先行技術文献】
【特許文献】
【０００８】
【特許文献１】特開２００６−１５４６９４号公報
【考案の概要】
【考案が解決しようとする課題】
【０００９】
本考案は、このような従来技術の問題点に鑑み、提案されたものである。
従って、本考案の解決しようとする技術的課題は、緩みを防止するための螺子の操作箇所が棹の外側面から露出しないようにすると共に、現在使用している糸巻きをそのまま利用できるようにして、三味線の美感を損なうことなく、且つ低コストで糸巻きの緩みを防止できるよう形成した三味線の糸巻きの緩み止め用具、及びこれを備えた、糸巻きの緩み防止機能付きの三味線を提供することにある。
【課題を解決するための手段】
【００１０】
本考案は、上記の課題を解決するため、次のような技術的手段を採る。
即ち、本考案は、図１等に示されるように、三味線２の棹２ａのテーパー状の差込穴３に糸巻き４を固定するのに使用する三味線２の糸巻き４の緩み止め用具１であって、糸巻き４の先端から糸巻き４の軸方向に沿って埋め込まれる棒状のナット１ａと、この棒状のナット１ａに糸巻き４の先端側から捩じ込まれるネジ１ｂと、このネジ１ｂの軸１ｂ１に嵌め挿される鍔付き部材１ｃと、この鍔付き部材１ｃがネジ１ｂの先端側に移動するのを防止するためネジ１ｂに螺合されるナット状部材１ｄとで形成され、上記の鍔付き部材１ｃの鍔８が、上記の差込穴３の内周面に係止される大きさに形成されていることを特徴とする（請求項１）。
【００１１】
この場合、棒状のナット１ａは、糸巻き４に接着剤等で堅固に固定できるよう、外周面が粗目加工され、接着剤の塗布面積が大きくなるよう、形成されているのが好ましい。なお、鍔付き部材１ｃは、例えば金属材や合成樹脂材で形成される。
【００１２】
而して、本考案の用具は、鍔付き部材１ｃが、ネジ１ｂの頭１ｂ２と接触する側面部１ｃ１に、ネジ１ｂの頭１ｂ２との摩擦を軽減するための転動体７を軸心周りに環状に複数備えて形成されているのが好ましい（請求項２）。
【００１３】
なぜならこれによると、糸巻き４を回して変調するとき（この場合、鍔付き部材１ｃは、鍔８が差込穴３の内周面に係止することにより差込穴３に固定されている。そのため、糸巻き４とネジ１ｂとは一体になって回る）、転動体７の作用でネジ１ｂの頭１ｂ２と鍔付き部材１ｃとの摩擦を軽減でき、その分、楽に糸巻き４を操作できるからである。
【００１４】
また本考案は、転動体７に代え、ネジ１ｂの頭１ｂ２と接触する鍔付き部材１ｃの側面部１ｃ１が、硬質状に形成されているのでも良い（請求項３）。
【００１５】
なぜならこの場合も、ネジ１ｂの頭１ｂ２と鍔付き部材１ｃの側面部１ｃ１との摩擦を軽減できるからである。この本考案は、例えば鍔付き部材１ｃの全体を金属材や硬質性の合成樹脂材で形成したり、或いはネジ１ｂの頭１ｂ２と接触する鍔付き部材１ｃの側面部１ｃ１だけを硬質性の合成樹脂材で形成することで実現される。
【００１６】
また本考案の三味線２としては、請求項１乃至３の何れかに記載の三味線２の糸巻き４の緩み止め用具１を備え、糸巻き４の先端から棒状のナット１ａが飛び出された状態で埋め込まれ、この棒状のナット１ａの露出端１ａ１に、割れ目９がナット１ａの先端から軸方向に延ばされて且つ１８０度隔てられて両側に形成され、この割れ目９を介してナット１ａの露出端１ａ１がかしめられていることを特徴とするものがある（請求項４）。
【考案の効果】
【００１７】
本考案は、このように形成されているから、糸巻きの差込穴の中に鍔付き部材を備えたネジを配置でき、差込穴の中にネジの頭を隠すことができる。
従って、本考案によれば、緩み止め器具の外部操作部分が棹の外面に露出することによる目障りさを解消でき、糸巻きの美観を損なうことなく、糸巻きの緩みを止めることができる。
【００１８】
また本考案は、糸巻きの先端に棒状のナットを取り付けることで良いから、使用中の糸巻きをそのまま利用して改造できる。
それ故、本考案によれば、低コストで糸巻きの緩みを防止できる。
【００１９】
また本考案の三味線は、上記のように形成されている緩み止め用具を備え、糸巻きの先端から棒状のナットが飛び出された状態で埋め込まれ、この棒状のナットの露出端に、割れ目がナットの先端から軸方向に延ばされて且つ１８０度隔てられて両側に形成され、この割れ目を介してナットの露出端がかしめられている。
【００２０】
従って、本考案の三味線によれば、緩み止め用具の外部操作部分が外部に露出することのない、糸巻きの緩み止め機能を備えた三味線を提供できる。
またこの本考案品の場合は、棒状のナットの露出端がかしめられている。従って、これによれば、ネジを糸巻きの棒状のナットに、しっかりときつく締め込むことができる。
【図面の簡単な説明】
【００２１】
【図１】本考案の好適な一実施形態を示し、Ａは要部側面図、Ｂは三味線の要部断面図である。
【図２】本考案の三味線の正面図である。
【図３】本考案の要部分解斜視図である。
【図４】ネジを締め込んでいる状態を示す要部断面図である。
【図５】本考案の要部断面図である。
【図６】本考案の三味線の要部正面図である。
【図７】本考案の他の実施形態を示す要部側面図である。
【考案を実施するための形態】
【００２２】
以下、本考案を実施するための好適な一実施形態を、添付図面に従って説明する。
【００２３】
本考案の緩み止め用具１は、図１等に示されるように、三味線２の棹２ａのテーパー状の差込穴３に糸巻き４を固定するのに使用する。差込穴３は、糸巻き４の外周面との磨耗を防止できるよう、テーパー管状の金属製筒状金具５で形成されている。
【００２４】
緩み止め用具１は、糸巻き４の先端から糸巻き４の軸方向に沿って埋め込まれる棒状のナット１ａと、この棒状のナット１ａに糸巻き４の先端側から捩じ込まれるネジ１ｂと、このネジ１ｂの軸１ｂ１に嵌め挿される鍔付き部材１ｃと、この鍔付き部材１ｃがネジ１ｂの先端側に移動するのを防止するためネジ１ｂの軸１ｂ１に螺合されるナット状部材１ｄとで形成されている。
【００２５】
棒状のナット１ａは、この実施形態では長さが２０ｍｍに選定されている。このナット１ａを糸巻き４に埋め込むときは、糸巻き４の軸心に糸巻き４と同心状に丸孔４ａを予め形成し、この丸孔４ａにナット１ａを嵌め込み接着する。そのため、ナット１ａは、この実施形態では外周面に、接着剤が入り込み易くなるよう平目加工が施されている。
【００２６】
上記のネジ１ｂは、軸１ｂ１の長さが、この実施形態では１０ｍｍに選定され、頭１ｂ２は六角形のボルト頭状に形成されている。６は、螺子回しである。この螺子回し６は、ネジ１ｂの頭１ｂ２に嵌合させる六角孔６ａを備えて形成されている。
【００２７】
また鍔付き部材１ｃは、この実施形態では金属材で形成され、ネジ１ｂの頭１ｂ２と接触する側面部１ｃ１（図３参照）に、ネジ１ｂの頭１ｂ２との摩擦を軽減するための転動体７を軸心周りに環状に複数備えて形成されている。
【００２８】
上記の鍔付き部材１ｃの鍔８は、上記の差込穴３の内周面に係止される大きさに形成されている。差込穴３は、通常、テーパー管状の金属製筒状金具５を備えてなる。従って、鍔付き部材１ｃの鍔８は、差込穴３の内周面としての、この金具５の内周面に係止される直径に形成されている。
【００２９】
上記のナット状部材１ｄは、この実施形態では合成樹脂材で円形に形成されている。このナット状部材１ｄは、その中心に、雌螺子を有する螺子孔１ｄ１（図１Ａ参照）が形成されている。
【００３０】
また本考案の三味線２は、上記のように形成されている緩み止め用具１を備えて形成されている。この場合、緩み止め用具１の棒状のナット１ａは、図１Ａ、図３等に示されるように、糸巻き４の先端から飛び出された状態で埋め込まれている。
【００３１】
また棒状のナット１ａは、その露出端１ａ１に、割れ目９がナット１ａの先端から軸方向に延ばされ、且つ１８０度隔てられて計２個形成されている。そして棒状のナット１ａの露出端１ａ１は、この割れ目９を介してかしめられている。
【００３２】
次に、この実施形態の本考案の作用を説明する。
【００３３】
先ず使用者は、図１Ａ、図３等に示されるように、糸巻き４の丸孔４ａに棒状のナット１ａを嵌め込み接着する。そして使用者は、棒状のナット１ａの露出端１ａ１を、割れ目９を左右側にしてかしめる。
【００３４】
次に、使用者は、ネジ１ｂの軸１ｂ１に鍔付き部材１ｃを嵌め差す。そして使用者は、この鍔付き部材１ｃがネジ１ｂから脱落しないようネジ１ｂの軸１ｂ１にナット状部材１ｄを締め込み、鍔付き部材１ｃを、ネジ１ｂの頭１ｂ２の側に寄せて取り付ける。
【００３５】
次に、使用者は、鍔付き部材１ｃを備えたネジ１ｂを、糸巻き４の棒状のナット１ａに捻じ込む。その後、使用者は、この糸巻き４を、三味線２の棹２ａの、金属製筒状金具５を備えた一方側の差込穴３（径の大きい方）から他方側の差込穴３（径の小さい方）に向かって差し込む。そして使用者は、鍔付き部材１ｃの鍔８を、他方側の差込穴３の金属製筒状金具５の内周面に係止させる。これにより、鍔付き部材１ｃは、他方側の差込穴３の中に固定される。
【００３６】
次に、使用者は、糸巻き４に糸を張った後、図４等に示されるように、棹２ａの外側からネジ１ｂの頭１ｂ２に螺子回し６の六角孔６ａを嵌め挿し、ネジ１ｂを締める。この場合、ネジ１ｂの頭１ｂ２は転動体７により、摩擦が軽減されるため、ネジ１ｂを楽に締めることができる。
【００３７】
而して、ネジ１ｂが締め込まれると、糸巻き４が、差込穴３の中に固定されている鍔付き部材１ｃの側に引き寄せられる。従って、糸巻き４は、棹２ａの一方側の差込穴３（径の大きい方）の金属製筒状金具５の内周面に密着する。これにより、糸巻き４は、差込穴３に、きつく固定され、緩みが防止される。
【００３８】
以上の処において、本考案は、上記の転動体７に代え、図７に示されるように、ネジ１ｂの頭１ｂ２と接触する鍔付き部材１ｃの側面部１ｃ１（図３参照）が、硬質状に形成されているのでも良い。
【００３９】
この実施形態では、側面部１ｃ１がポリアセタール樹脂（例えばデュポン社のデルリン（登録商標）など）製の鍔付きのワッシャー部材１０で形成されている。鍔付き部材１ｃは、このワッシャー部材１０の間に、例えばフッ素樹脂（例えばデュポン社のテフロン（登録商標）など）製のリング部材１１が挟まれて同心状に積層され、一体化されることにより形成されている。
【００４０】
なお、本考案の場合、上記の螺子回し６は、ネジ１ｂの種類に応じて、例えば六角レンチ型や、先端が＋形、或いは−形などに形成されているのでも良い。
【符号の説明】
【００４１】
１      緩み止め用具
１ａ    棒状のナット
１ｂ    ネジ
１ｂ１  軸
１ｃ    鍔付き部材
１ｄ    ナット状部材
２      三味線
２ａ    棹
３      差込穴
４      糸巻き
８      鍔
【図１】
0003181082.tif 000003
【図２】
0003181082.tif 000004
【図３】
0003181082.tif 000005
【図４】
0003181082.tif 000006
【図５】
0003181082.tif 000007
【図６】
0003181082.tif 000008
【図７】
0003181082.tif 000009